(57)【特許請求の範囲】
【請求項１】
画像データ送受信機能および画像入出力機能を備える１以上の内線端末を収容し、仮想会議室機能によるテレビ会議を実行する電話制御装置であって、
自電話制御装置が収容する内線の内線番号と、前記内線と接続された内線端末にアクセスするための内線アドレス情報と、前記内線端末に内線端末側の画像データを内線画像としてアップロードさせるＩＰアドレスである内線画像アドレス情報と、画像データ及び音声データの入出力先を示すポート番号を対応付けて記憶する内線情報記憶手段と、
自電話制御装置が形成している仮想会議室の内線番号と、前記仮想会議室を識別する仮想会議室ＩＤ情報と、前記仮想会議室にアクセスするための仮想会議室アドレス情報と、合成した合成会議画像データをアップロードするＩＰアドレスである合成会議画像アドレス情報を対応付けて記憶する仮想会議室情報記憶手段と、
前記仮想会議室情報記憶手段に記憶された情報を他電話制御装置へ通知する仮想会議室情報通知手段と、
前記内線情報記憶手段に記憶された情報を他電話制御装置へ通知する内線情報通知手段と、
自電話制御装置を含む複数の電話制御装置を識別する電話制御装置ＩＤ情報と、前記電話制御装置にアクセスするための電話制御装置アドレス情報と、前記複数の電話制御装置それぞれが形成している仮想会議室の内線番号を対応付けて記憶する電話制御装置情報記憶手段と、を有し、
自電話制御装置が収容する前記内線端末のいずれかから発信要求を受信した場合に、前記電話制御装置情報記憶手段を参照し、前記発信要求に含まれている発信先の内線番号が前記仮想会議室に対応する内線番号であった場合に、前記発信先の内線番号に対応する仮想会議室を形成する電話制御装置を特定し、前記特定した仮想会議室を形成する電話制御装置が自電話制御装置であるか否かを判定し、
自電話制御装置が形成している仮想会議室であったならば、前記仮想会議室アドレス情報と前記合成会議画像アドレス情報を前記発信要求を送信してきた内線端末へ通知すると共に、前記内線情報記憶手段を参照し、前記発信要求を送信してきた内線端末に対応する内線画像アドレス情報にアップロードされた複数の内線画像を取得し、前記取得した複数の内線画像を合成した合成会議画像データを前記合成会議画像アドレス情報のアドレスにアップロードし、
前記特定した仮想会議室が自電話制御装置の形成している仮想会議室でないならば、当該仮想会議室を形成している他電話制御装置へ、前記仮想会議室によるテレビ会議の開催または開催中のテレビ会議への参加を要求すると共に、前記内線情報通知手段は前記発信要求を送信してきた内線端末に対応する内線アドレス情報と前記内線画像アドレス情報を通知し、
他電話制御装置から自電話制御装置が形成している前記仮想会議室によるテレビ会議の開催または開催中のテレビ会議への参加を要求されると共に、前記内線端末のいずれかに対応する内線アドレス情報と前記内線画像アドレス情報を通知された場合は、前記仮想会議室情報通知手段は前記仮想会議室アドレス情報と前記合成会議画像アドレス情報を前記他電話制御装置へ通知すると共に、前記通知された内線画像アドレス情報にアップロードされた内線画像を取得し、
前記取得した内線画像を当該仮想会議室に係る他の内線画像と合成した合成会議画像データを前記合成会議画像アドレス情報のアドレスにアップロードすることを特徴とするテレビ会議機能を有する電話制御装置。
【請求項２】
請求項１に記載の電話制御装置であって、
内線端末間の通話時、両前記内線端末から通知された内線画像アドレス情報にアップロードされた内線画像を取得し、合成を行わずに、対向する内線端末へアップロードする内線画像中継手段をさらに有し、
テレビ会議以外の通話接続を行うことを特徴とするテレビ会議機能を有する電話制御装置。
【発明の詳細な説明】
【技術分野】
【０００１】
本発明は、映像データを配信する機能を有する電話制御装置に関する。
【背景技術】
【０００２】
電話制御装置が備える仮想会議室機能によるテレビ会議を実行する電話システムに関する技術が知られている（例えば、特許文献１）。本技術は、映像データ配信元をＩＤで管理し、電話制御装置収容下の内線端末と対応付けることで、電話制御装置内でのテレビ会議機能を実現するが、電話制御装置収容下以外の内線端末からのテレビ会議への参加は対応出来ず、本技術をベースに拠点間のテレビ会議通話を実現することは出来ない。
【０００３】
一般にネットワーク内に電話システム上で行われるテレビ電話会議を集中処理する共有のテレビ会議装置を設置し、集中処理を行う運用形態への変更が必要となる（例えば、特許文献２）。これは既存のテレビ会議機能とは別に導入する必要があり、高い性能のハードを要求するため、導入時の初期投資が高価となる。
【先行技術文献】
【特許文献】
【０００４】
【特許文献１】特開２０１４−１７５９０６号公報
【特許文献２】特開２００９−００５２２８号公報
【発明の概要】
【発明が解決しようとする課題】
【０００５】
本発明は、このような事情に鑑みてなされたもので、自電話制御装置収容下でのみ参加可能な仮想会議室機能をもつ電話制御装置同士を接続し、拠点間テレビ会議の利用を可能とする電話制御装置を提供することにある。
【課題を解決するための手段】
【０００６】
上記課題を解決するため、本発明は、画像データ送受信機能及び画像入出力機能を備える１以上の内線端末を収容し、仮想会議室機能によるテレビ会議を実行する電話制御装置であって、自電話制御装置が収容する内線の内線番号と、前記内線と接続された内線端末にアクセスするための内線アドレス情報と、前記内線端末に内線端末側の画像データを内線画像としてアップロードさせるＩＰアドレスである内線画像アドレス情報と、画像データ及び音声データの入出力先を示すポート番号を対応付けて記憶する内線情報記憶手段と、自電話制御装置が形成している仮想会議室の内線番号と、前記仮想会議室を識別する仮想会議室ＩＤ情報と、前記仮想会議室にアクセスするための仮想会議室アドレス情報と、合成した合成会議画像データをアップロードするＩＰアドレスである合成会議画像アドレス情報を対応付けて記憶する仮想会議室情報記憶手段と、前記仮想会議室情報記憶手段に記憶された情報を他電話制御装置へ通知する仮想会議室情報通知手段と、前記内線情報記憶手段に記憶された情報を他電話制御装置へ通知する内線情報通知手段と、自電話制御装置を含む複数の電話制御装置を識別する電話制御装置ＩＤ情報と、前記電話制御装置にアクセスするための電話制御装置アドレス情報と、前記複数の電話制御装置それぞれが形成している仮想会議室の内線番号を対応付けて記憶する電話制御装置情報記憶手段と、を有し、自電話制御装置が収容する前記内線端末のいずれかから発信要求を受信した場合に、前記電話制御装置情報記憶手段を参照し、前記発信要求に含まれている発信先の内線番号が前記仮想会議室に対応する内線番号であった場合に、前記発信先の内線番号に対応する仮想会議室を形成する電話制御装置を特定し、前記特定した仮想会議室を形成する電話制御装置が自電話制御装置であるか否かを判定し、自電話制御装置が形成している仮想会議室であったならば、前記仮想会議室アドレス情報と前記合成会議画像アドレス情報を前記発信要求を送信してきた内線端末へ通知すると共に、前記内線情報記憶手段を参照し、前記発信要求を送信してきた内線端末に対応する内線画像アドレス情報にアップロードされた複数の内線画像を取得し、前記取得した複数の内線画像を合成した合成会議画像データを前記合成会議画像アドレス情報のアドレスにアップロードし、前記特定した仮想会議室が自電話制御装置の形成している仮想会議室でないならば、当該仮想会議室を形成している他電話制御装置へ、前記仮想会議室によるテレビ会議の開催または開催中のテレビ会議への参加を要求すると共に、前記内線情報通知手段は前記発信要求を送信してきた内線端末に対応する内線アドレス情報と前記内線画像アドレス情報を通知し、他電話制御装置から自電話制御装置が形成している前記仮想会議室によるテレビ会議の開催または開催中のテレビ会議への参加を要求されると共に、前記内線端末のいずれかに対応する内線アドレス情報と前記内線画像アドレス情報を通知された場合は、前記仮想会議室情報通知手段は前記仮想会議室アドレス情報と前記合成会議画像アドレス情報を前記他電話制御装置へ通知すると共に、前記通知された内線画像アドレス情報にアップロードされた内線画像を取得し、前記取得した内線画像を当該仮想会議室に係る他の内線画像と合成した合成会議画像データを前記合成会議画像アドレス情報のアドレスにアップロードすることを特徴とする。
【発明の効果】
【０００７】
本発明によれば、電話制御装置同士で使用する仮想会議室の構成情報と、仮想会議室に参加する内線端末の構成情報を中継することで、他電話制御装置内の仮想会議室を利用して拠点間テレビ会議が可能な電話制御装置を提供できる。
【０００８】
また、集中処理する共有のテレビ会議装置を使用せずとも、電話制御装置が有する仮想会議室機能が共有のテレビ会議装置の代替をつとめ、複数拠点間でテレビ会議が実現できる。
【図面の簡単な説明】
【０００９】
【図１−１】、
【図１−２】本発明による装置配置と各装置のブロック構成を示す        図である。
【図２】本発明による電話制御装置における電話制御装置情報記憶部の記憶内容の一例を示す図。
【図３Ａ】、
【図３Ｂ】、
【図３Ｃ】本発明による電話制御装置における内線情報記憶部の記憶内容の一例を示す図である。
【図４Ａ】、
【図４Ｂ】、
【図４Ｃ】本発明による電話制御装置における仮想会議室情報記憶部の記憶内容の一例を示す図である。
【図５−１】、
【図５−２】、
【図５−３】、
【図５−４】テレビ会議参加時の信号シーケンスの一例を示す図である。
【図６−１】、
【図６−２】、
【図６−３】テレビ会議退出時の信号シーケンスの一例を示す図である。
【図７−１】、
【図７−２】２者間テレビ通話の信号シーケンスの一例を示す図である。
【図８−１】、
【図８−２】呼制御部の動作フローチャートである。
【図９】仮想会議室機能部の動作フローチャートである。
【発明を実施するための形態】
【００１０】
以下、本発明の実施の形態について、図面を用いて説明する。
図１−１は本発明の実施形態に係る電話制御装置１を含む、全体構成図である。電話制御装置１（電話制御装置１−Ａ、１−Ｂ及び１−Ｃを総称して、電話制御装置１と称す。）は、ネットワーク１００を介して相互に接続される。ネットワーク１００は例えばＩＰネットワークである。
【００１１】
電話制御装置１は、内線としてカメラ付き内線端末と接続する。図１−１において、電話制御装置１は、ネットワーク１００を介して電話制御装置１−Ａ〜Ｃの３台が接続された形態を図示しているが、電話制御装置１の接続数は、電話システムが許容する範囲で任意である。本実施例では、電話制御装置１−Ａ〜Ｃで構成された電話システムを図示している。
【００１２】
電話制御装置１−Ａと収容下の内線端末５０−Ａは拠点Ａ、電話制御装置１−Ｂと収容下の内線端末５０−Ｂは拠点Ｂ、電話制御装置１−Ｃと収容下の内線端末５０−Ｃは拠点Ｃを構成する。
【００１３】
カメラ付き内線端末５０−Ａ〜Ｃは、電話制御装置１−Ａ〜Ｃにそれぞれ帰属する内線端末であり、例えばボタン電話機である。端末カメラと、映像表示器を内蔵し、端末カメラは、撮影している映像データを送信する。映像表示器は、映像データの表示が可能である。
【００１４】
なお、図１−１において、端末カメラと映像表示器は、内線端末に内蔵されている例を図示しているが、端末カメラと映像表示器は、独立した機器であっても良い。また、電話制御装置１に接続されるカメラ付き内線端末の設置数は、電話制御装置１が許容する範囲で任意である。
【００１５】
次に図１−２を例に、電話制御装置１の内部ブロック構成について説明する。電話制御装置１は、他拠点対応部２（図１−１で図示した電話制御装置１−Ａ〜Ｃは、同様の内部ブロック構成であり、電話制御装置１−Ａ〜Ｃそれぞれが有する他拠点対応部２を、他拠点対応部２−Ａ、他拠点対応部２−Ｂ、他拠点対応部２−Ｃと称し、これらを総称して、他拠点対応部２と称する。以下各装置とも同様に総称する。）、音声合成部３、画像合成部４、仮想会議室機能部５、仮想会議室情報記憶部６、呼制御部７、電話制御装置情報記憶部８、内線情報記憶部９、通話路スイッチ１０、内線対応部１１から構成される。
【００１６】
他拠点対応部２は、ネットワーク１００を経由し、電話制御装置１−Ａ〜Ｃ間で発着信及びテレビ会議に係る制御データ、音声データ、映像データを中継する手段である。音声合成部３は、仮想会議室機能部５からの指示に従い、カメラ付き内線端末５０から出力される音声データを取得し、複数の内線端末５０からの音声データの合成を行う手段である。
【００１７】
なお、この音声合成はテレビ会議に参加する多地点の参加者からの音声を合成し、会議音声として各テレビ会議参加者に配信するためである。本合成処理は、一般的な電話会議に係る処理と同様であり、詳細な説明は割愛する。
【００１８】
画像合成部４は、仮想会議室機能部５からの指示に従い、カメラ付き内線端末５０から出力される画像データを取得し、複数の内線端末５０からの映像データの合成を行う手段である。この処理は、複数の映像データを縮小多画面に合成し、各テレビ会議参加者に配信するためである。本合成処理は、一般的な電話会議に係る処理と同様であり、詳細な説明は割愛する。
【００１９】
仮想会議室機能部５は、テレビ会議に係る音声及び映像データの合成及び配信の制御を行う。呼制御部７から通知された内線端末５０のＩＰアドレス及び、映像データ及び音声データのポート番号をもとに、音声合成部３及び画像合成部４に対して映像データと音声データの取得と、複数の映像データと音声データの合成を指示し、合成された音声データと映像データを、前記、呼制御部７から通知された内線端末５０のＩＰアドレス及び、映像データ及び音声データのポート番号へ配信する手段である。
【００２０】
仮想会議室情報記憶部６は、電話制御装置１が形成している仮想会議室を示す内線番号と、仮想会議室機能部５のＩＰアドレスと、仮想会議室にアクセス時に使用する映像データ及び音声データそれぞれのポート番号と対応付けて記憶する手段である。詳細は後述する。
【００２１】
呼制御部７は、電話制御装置１内の各部を制御して、電話発着信に係る制御や、テレビ会議またはテレビ会議以外の映像データの配信制御を実行する手段である。映像データの配信に係る制御については後述する。
【００２２】
電話制御装置情報記憶部８は、内線番号の一部を構成し、電話制御装置１−Ａ〜Ｃを一意に識別する番号である拠点番号と、電話制御装置１―Ａ〜Ｃ内の呼制御部７のＩＰアドレスを対応付けて記憶する手段である。詳細は後述する。
【００２３】
内線情報記憶部９は、電話制御装置１−Ａ〜Ｃが収容するカメラ付き内線端末５０−Ａ〜Ｃの内線番号と内線端末のＩＰアドレスとテレビ会議時に使用する映像データ及び音声データそれぞれのポート番号を対応付けて記憶する手段である。詳細は後述する。
【００２４】
通話路スイッチ１０は、呼制御部７の指示に従って、内線対応部１１と他拠点対応部２の間で、自通話路スイッチ１０内の通話（図示せず）を流れる音声データの交換を実行する手段である。
【００２５】
内線対応部１１は、電話制御装置１の内線として、カメラ付き内線端末５０と接続し、電話制御装置１と、電話制御装置１収容下のカメラ付き内線端末５０との間で、発着信または端末制御に係る制御データ、音声データ、映像データを中継する手段である。
【００２６】
図２は電話制御装置情報記憶部８が記憶している内容の一例を示す図である。列２０１の拠点番号は、発信要求に含まれている発信先を指定する発信先指定番号（拠点番号＋内線番号）の一部を構成し、対象とする電話制御装置１を識別する為の識別子である。
【００２７】
列２０２の呼制御装置のＩＰアドレスは、各電話制御装置１が持つ各呼制御部７のＩＰアドレスであり、電話制御装置１−Ａ〜Ｃ間での通信を行うために登録されている。
【００２８】
列２０３会議番号は、電話制御装置１−Ａ〜Ｃそれぞれが形成する仮想会議室への参加要求を示す番号で、一つの内線番号として登録されている。発信要求に含まれている発信先を指定する発信先指定番号（拠点番号＋内線番号）の内線番号として、当該発信要求がテレビ会議への参加要求かを判断するために設定する。
【００２９】
図２の記憶情報は、呼制御部７がカメラ付き内線端末５０からの発信要求を受信した際、どの電話制御装置１を指定しているかの判別及び、テレビ会議参加であるかの判別に用いられる。そのため拠点番号は重複しない値で登録される必要がある。
【００３０】
例えば、カメラ付き内線端末５０−Ａから、電話制御装置１−Ｂの仮想会議室機能部５−Ｂによるテレビ会議参加の発信要求を行う際、カメラ付き内線端末５０−Ａは、行２０２列２０１に対応する７２と、行２０２列２０３に対応する８０２を合わせ７２８０２をダイヤルし発信し、電話制御装置１−Ｂのテレビ会議参加を示す発信要求として、呼制御部７−Ａに送信する。
【００３１】
当該発信要求を受信した呼制御部７−Ａは、番号解析と共に電話制御装置情報記憶部８−Ａを参照することで、当該発信要求が電話制御装置１−Ｂのテレビ会議への参加を要求していることを判別する。呼制御部７−Ａは行２０２列２０２に対応する呼制御部７−ＢのＩＰアドレスに対して接続要求を行う。なお番号解析方法については任意である。
【００３２】
この設定値は、電話制御装置１−Ａ〜Ｃそれぞれの電話制御装置情報記憶部８−Ａ〜Ｃが共通して記憶している必要がある。
【００３３】
図３Ａ〜Ｃは内線情報記憶部９が記憶している内容の一例を示す図である。内線情報記憶部９には電話制御装置１収容下の各カメラ付き内線端末５０の内線情報が登録されている。
【００３４】
本実施例では、図１に図示する全体構成図の通り、電話制御装置１−Ａの場合は、収容下のカメラ付き内線端末５０−Ａの情報が（図３Ａ）、電話制御装置１−Ｂの場合は、収容下のカメラ付き内線端末５０−Ｂの情報が（図３Ｂ）、収容下の電話制御装置１−Ｃの場合は、カメラ付き内線端末５０―Ｃの情報（図３Ｃ）がそれぞれ登録されている。
【００３５】
列３０１の内線番号は、電話制御装置１収容下のカメラ付き内線端末５０の内線番号が登録されている。
【００３６】
列３０２の内線端末のＩＰアドレスは、電話制御装置１収容下のカメラ付き内線端末５０のＩＰアドレスがそれぞれ登録されている。
【００３７】
列３０３の画像ポートは、電話制御装置１収容下のカメラ付き内線端末５０がテレビ会議に参加する際、画像データの送受信に使用する画像ポート番号がそれぞれ登録されている。
【００３８】
列３０４の音声ポートは、カメラ付き内線端末５０がテレビ会議に参加する際、音声データの送受信に使用する音声ポート番号がそれぞれ登録されている。
【００３９】
図３Ａ〜Ｃの記憶情報は、テレビ会議参加の際、参加先の仮想会議室機能部５に対して、テレビ会議参加者の内線端末の情報として送信するために登録されている。送信された内線端末の情報は、参加先の仮想会議室機能部５でテレビ会議参加者として保存される。
【００４０】
本実施例では、カメラ付きの内線端末を使用するとして、映像表示器、端末カメラのＩＰアドレスはカメラ付き内線端末５０と同値として指定は行っていないが、映像表示器と端末カメラを独立した機器として運用する場合は、本内線情報記憶部の記憶内容に、内線端末に対応する表示器及び端末カメラのＩＰアドレスの指定列を追加し、ＩＰアドレスを登録しても良い。
【００４１】
図４Ａ〜Ｃは仮想会議室情報記憶部６が記憶している内容の一例を示す図である。仮想会議室情報記憶部６には電話制御装置１内の仮想会議室機能部５の情報が登録されている。
【００４２】
本実施例では、図１−１〜２に図示する全体構成図の通り、電話制御装置１−Ａの場合は、仮想会議室機能部５−Ａの情報を（図４Ａ）、電話制御装置１−Ｂの場合は、仮想会議室機能部５−Ｂの情報を（図４Ｂ）、電話制御装置１−Ｃの場合は、仮想会議室機能部５−Ｃの情報（図４Ｃ）がそれぞれ登録されている。
【００４３】
列４０１の会議室番号は、テレビ会議への参加を示す番号であり、呼制御部７が発信要求に含まれている発信先指定番号（拠点番号＋内線番号）の内線番号を抽出し、当該発信要求がテレビ会議への参加要求かを判断するために登録されている。
【００４４】
列４０２仮想会議室機能部のＩＰアドレスは、電話制御装置１内の仮想会議室機能部５のＩＰアドレスが登録されている。
【００４５】
列４０３画像ポートは、テレビ会議実行時、カメラ付き内線端末５０との画像データ送受信に使用する画像ポート番号の範囲がそれぞれ登録されている。
【００４６】
列４０４音声ポートは、テレビ会議実行時、カメラ付き内線端末５０との音声データの送受信に使用する音声ポート番号の範囲がそれぞれ登録されている。
【００４７】
図４Ａ〜Ｃの記憶情報は、自電話制御装置１収容下の内線端末からのテレビ会議参加要求または他電話制御装置１からの接続要求を呼制御部７が受信した際、仮想会議室情報記憶部６を参照し、自電話制御装置内の仮想会議室機能部のＩＰアドレスとテレビ会議に使用する画像ポート番号及び内線ポート番号を、前記テレビ会議参加要求を行った内線端末５０または、接続要求を送信してきた前記他電話制御装置１に対して送信を行うために登録されている。
【００４８】
本実施例では、列４０３と列４０４には、テレビ会議に使用するポート番号それぞれ３ポート登録されていると図示しているが、使用ポートの設定値及び使用範囲は、電話制御装置１が許容する範囲で任意である。
【００４９】
次に、複数拠点間でテレビ会議を実施する場合の動作について、図５を併用して説明する。図５−１〜２は拠点間テレビ会議の実施に係る、電話制御装置１−Ａ〜Ｃ内の呼制御部７−Ａ〜Ｃと、各カメラ付き内線端末５０−Ａ〜Ｃとの間のシーケンス例である。また、図５−３には、前述した装置間での通知及び装置間の通信に使用する、ＩＰアドレスと、テレビ会議に使用する画像ポート番号及び音声ポート番号を（ア）〜（カ）に示す。また図５−４には、シーケンス上の時点（１）〜（３）における、仮想会議室機能部Ｂ（拠点Ｂの仮想会議室機能部を示す。以下同じ）が記憶する会議参加内線端末の情報を示す。
【００５０】
拠点Ｂの仮想会議室に最初に入室する内線端末５０−Ａは、拠点Ｂでのテレビ会議への参加を指定する発信先指定番号（電話制御装置１―Ｂの仮想会議室を指定するため、図２、列２０１拠点番号列の行２０２に示す７２と、図４Ｂ、行４１１Ｂ会議室番号に示す８０２を合わせ、電話制御装置１Ｂのテレビ会議への参加要求を意味する内線番号７２８０２）の発信要求を呼制御部７−Ａに送信する（Ｓ５０１）。
【００５１】
発信要求を受信した呼制御部７―Ａは、発信要求に含まれる発信先指定番号を解析、電話制御装置情報記憶部８−Ａ（前述の通り、電話制御装置情報記憶部８−Ａ〜Ｃの内容は共通である）を参照し（図２、行２０２列２０１に対応する７２と列２０３に対応する８０２）、当該発信要求が、拠点Ｂのテレビ会議への参加要求であると判断し、電話制御装置情報記憶部８−Ａから参照した拠点Ｂの呼制御部７−ＢのＩＰアドレス（図２、行２０２列２０２に対応するＩＰアドレス）に対し、接続要求を行う。この際同時に、内線情報記憶部９−Ａを参照し、図３Ａ、行３１１Ａに対応する発信要求を行った内線端末Ａの拠点番号（７１）、内線番号（１１）と、図５−３に示す情報（ア）すなわち内線端末のＩＰアドレスと、テレビ会議に使用する画像ポート番号及び音声ポート番号を送信する（Ｓ５０２）。
【００５２】
接続要求を受信した呼制御部７−Ｂは、自拠点のテレビ会議への参加要求であることを電話制御装置情報記憶部８−Ｂから判断し、仮想会議室機能部５−Ｂへ会議参加要求を行う。この際同時に、Ｓ５０２で受信した発信要求を行った内線端末Ａの拠点番号、内線番号と、ＩＰアドレスと、テレビ会議に使用する画像ポート番号及び音声ポート番号を、仮想会議室機能部Ｂへ送信する（ア）（Ｓ５０３）。
【００５３】
会議参加要求を受信した仮想会議室機能部５−Ｂは、通知された拠点番号、内線番号、ＩＰアドレス、ポート情報を、図５−４の時点（１）に示すように、会議参加内線端末の情報として保存し、会議参加受付通知を呼制御部７−Ｂに対して送信する（Ｓ５０４）。
【００５４】
仮想会議室機能部５−Ｂから会議参加受付を受信した呼制御部７−Ｂは、仮想会議室情報記憶部６−Ｂを参照し、自拠点の仮想会議室機能部５−ＢのＩＰアドレスと、テレビ会議に使用する画像ポート番号及び音声ポート番号（イ）を、呼制御部７−Ａからの接続要求に対する接続完了通知と共に、呼制御部７−Ａに対して送信する（Ｓ５０５）。
【００５５】
接続完了通知を受信した呼制御部７−Ａは、同時に通知された仮想会議室情報記憶部６−ＢのＩＰアドレスとテレビ会議に使用する画像ポート番号及び音声ポート番号（イ）を、内線端末５０―Ａに送信する（Ｓ５０６）。
【００５６】
なお、この際に送信する画像ポート番号及び音声ポート番号は、仮想会議室情報記憶部６―Ｂに登録された（図４Ｂ列４０３Ｂ、列４０４Ｂ）ポート範囲から、空いているポートを使用する。
【００５７】
ここでは、内線端末５０−Ａが最初の参加者となるため、画像ポート番号８１と音声ポート番号９１が送信される。拠点Ａの内線端末５０−Ａは、拠点Ｂの仮想会議室機能部５−ＢのＩＰアドレス及び使用ポート番号を入手、仮想会議室機能部５−Ｂは内線端末Ａの内線番号とＩＰアドレスと使用ポート番号を入手する。
【００５８】
このような処理により、内線端末５０は、別拠点の仮想会議室機能部５と通信を行うことが可能となる。
【００５９】
仮想会議室機能部５−Ｂは、Ｓ５０３で受信した内線端末５０−ＡのＩＰアドレスとポート番号（ア）にアクセスし、画像データ及び音声データをダウンロードし（Ｓ５０８）、音声合成部３−Ｂと画像合成部４−Ｂに合成を指示する（Ｓ５０７）。
【００６０】
内線端末５０−Ａは、Ｓ５０６で受信した仮想会議室機能部５ＢのＩＰアドレスとポート番号（イ）にアクセスし、合成画像データをダウンロードし、内線端末に備えた映像表示器に合成画像データを表示する。この時点では、他に会議参加者がいないため、表示する合成画像データは、内線端末５０−Ａの端末カメラの映像のみとなる。また聴取する合成音声データは、無音となり、他の会議参加者を待つ状態となる（Ｓ５０６）。
【００６１】
続いて、２番目のテレビ会議参加者の拠点Ｂの内線端末５０−Ｂは、発信先指定番号として、拠点Ｂの仮想会議室を指定する（電話制御装置１―Ｂのテレビ会議への参加要求を意味する内線番号８０２）内線番号の発信要求を呼制御部７−Ｂに送信する（Ｓ５０９）。
【００６２】
なお、内線端末５０Ｂは、自拠点の仮想会議室への参加要求を行うため、内線端末５０−Ａの発信要求のように発信先拠点番号を発信先指定番号に入れていないが、自拠点である拠点Ｂを示す拠点番号７２を発信先指定番号に入れた場合でも、発信先指定番号を解析し、電話制御装置情報記憶部８−Ｂを参照することで（図２、行２０２列２０１に対応する７２と列２０３に対応する８０２）  当該発信要求が、自拠点のテレビ会議への参加要求であると判断できるため、動作に変更はない。
【００６３】
発信要求を受信した呼制御部７−Ｂは、発信要求に含まれる発信先指定番号を解析、電話制御装置情報記憶部８−Ｂを参照し、（図２、行２０２列２０３に対応する８０２）当該発信要求が、自拠点のテレビ会議への参加要求であると判断し、仮想会議室機能部５−Ｂへ会議参加要求を行う。この際同時に、内線情報記憶部９−Ｂ（図３Ｂ行３１１Ｂ）を参照し、発信要求を行った内線端末Ｂの拠点番号、内線番号と、内線端末のＩＰアドレスと、テレビ会議に使用する画像ポート番号及び映像ポート番号（ウ）を送信する（Ｓ５１０）。
【００６４】
内線端末５０−Ｂのように、自拠点に対してテレビ会議の参加要求を行う場合、内線端末５０−Ａのテレビ会議への参加要求時のように、自拠点の呼制御部が別拠点の呼制御部に対して接続要求を行う必要はない。直接、自拠点の仮想会議室機能部に対して会議参加要求を行う。
【００６５】
会議参加要求を受信した仮想会議室機能部５−Ｂは、通知された拠点番号、内線番号、ＩＰアドレス、ポート情報（ウ）を会議参加内線端末の情報として保存し（時点（２））、会議参加受付通知を呼制御部７−Ｂに対して送信する（Ｓ５１１）。
【００６６】
仮想会議室機能部５−Ｂから会議参加受付を受信した呼制御部７−Ｂは、仮想会議室情報記憶部６−Ｂを参照し、自拠点の仮想会議室機能部のＩＰアドレスと、テレビ会議に使用する画像ポート番号及び音声ポート番号（エ）を、内線端末５０−Ｂからの会議参加発信に対する応答と共に、送信する（Ｓ５１２）。
【００６７】
この際に送信する画像ポート番号及び音声ポート番号は、図４Ｂ列４０３Ｂ、列４０４Ｂに登録されたポート範囲から、内線端末Ｂが２番目の参加者となるため、画像ポート番号８２と音声ポート番号９２が送信される。
【００６８】
仮想会議室機能部５−Ｂは、Ｓ５１０で受信した内線端末ＢのＩＰアドレスとポート番号（ウ）にアクセスし、画像データ及び音声データをダウンロードし、音声合成部３―Ｂと画像合成部４―Ｂに合成を指示する（Ｓ５１３）。
【００６９】
ここで、テレビ会議参加者が内線端末５０−Ａと内線端末５０−Ｂの２者となる、合成画像データは、内線端末５０−Ａと内線端末５０−Ｂの画像を合成して並べたものとなる。
【００７０】
内線端末５０−Ｂは、Ｓ５１２で受信した仮想会議室機能部５−ＢのＩＰアドレスとポート番号（エ）にアクセスし、合成画像データをダウンロードし（Ｓ５１４）、内線端末に備えた映像表示器に合成画像データを表示する。内線端末５０−Ａの映像表示器に表示される画像データは更新され。
【００７１】
音声データは、内線端末５０−Ａは内線端末５０−Ｂから出力される音声を、内線端末５０−Ｂは内線端末５０−Ａが出力している音声を聴取する。
【００７２】
以下、拠点３の内線端末５０−Ｃは、内線端末５０−Ａと同様の手順により、（Ｓ５１５〜Ｓ５２２）拠点Ｂのテレビ会議に参加し、拠点Ａ〜Ｃ間での内線端末５０Ａ〜Ｃによるテレビ会議を開始することを可能とする（時点（３））。
【００７３】
続いて、複数拠点間でテレビ会議を実施中、テレビ会議参加者の会議退出時の動作について図６−１〜３を併用して説明する。図６−１〜２は実施中の拠点間テレビ会議からの退出に係る、電話制御装置１−Ａ〜Ｃ内の呼制御部７−Ａ〜Ｃと、各カメラ付き内線端末５０−Ａ〜Ｃとの間のシーケンス例である。
【００７４】
図６−１〜２には図５−１〜２の会議参加シーケンスから続くものとなっている。仮想会議室機能５−Ｂで実施中のテレビ会議に、内線端末５０−Ａ、内線端末５０−Ｂ、内線端末５０−Ｃが参加している状態である。図６−３についても同様に、図５−４時点（３）から続くものとなっている。
【００７５】
テレビ会議退出の際は、テレビ会議参加中の内線端末から、通話終了操作を行うことで、仮想会議機能部からの合成映像データと合成音声データの取得を中止し、自拠点の呼制御部へ終了を送信する。通話終了操作とは、例えば、オンフック操作やボタン操作であり、内線端末の仕様に合わせて任意である。
【００７６】
最初にテレビ会議から退出する内線端末５０−Ａは通話終了操作を行い、呼制御部７−Ａへ切断を送信する（Ｓ６０１）。
【００７７】
呼制御部７−Ａは、内線端末Ａから切断通知を受信した場合、内線端末５０−Ａの通話先である拠点Ｂの呼制御部７−Ｂへ対して、内線端末５０−Ａの拠点番号、内線番号を付与した切断要求を送信する（Ｓ６０２）。
【００７８】
呼制御部７−Ｂは、呼制御部７−Ａから切断要求を受信した場合、呼制御部Ａから通知された拠点番号、内線番号を付与した会議退出要求を仮想会議室機能部５−Ｂへ送信する（Ｓ６０３）。
【００７９】
仮想会議室機能部５−Ｂは、会議退出要求を受信した場合、付与された拠点番号、内線番号を、現在の会議参加者情報と照会し、図６−３時点（４）に示すように、該当する参加者情報を削除する。削除後、呼制御部７−Ｂへ、会議退出受付を送信する（Ｓ６０４）。
【００８０】
この時点で、テレビ会議の参加者から内線端末５０−Ｂと内線端末５０−Ｃになり、内線端末５０−Ａからの画像データと音声データの取得を中止する。結果、合成画像データから、内線端末５０−Ａの画像は排除され、内線端末５０−Ｂと内線端末５０−Ｃから取得した画像データの合成画像として構成される。合成音声データからも同様に、内線端末５０−Ａからの音声データの取得を中止する。
【００８１】
呼制御部７−Ｂは会議退出受付を受信した場合、呼制御部７−Ａへ、解放完了を送信する（Ｓ６０５）。内線端末５０−Ａは、呼制御部から終了通知を受信し、内線端末５０−Ａのテレビ会議参加は終了する（Ｓ６０６）。
【００８２】
２番目にテレビ会議から退出する、内線端末５０−Ｂも、内線端末５０−Ａの会議退出時と同様に通話終了操作を行い、呼制御部７−Ｂに対して終了を送信する（Ｓ６０７）。
【００８３】
呼制御部７−Ｂは、終了を受信した場合、仮想会議室機能部５−Ｂに対して内線端末５０−Ｂの拠点番号、内線番号を付与した会議退出要求を送信する（Ｓ６０８）。
【００８４】
仮想会議室機能部５−Ｂは、呼制御部７−Ｂから会議退出要求を受信した場合、付与された拠点番号、内線番号を、現在の会議参加者情報と照会し、該当する参加者情報を削除する（時点（５））。
【００８５】
削除後、呼制御部７−Ｂへ、会議退出受付を送信する（Ｓ６０９）。内線端末５０−Ａ退出時と同様に、画像データと音声データの取得を中止し、それに応じて、合成画像データと合成音声データは更新される。
【００８６】
テレビ会議参加者から内線端末５０−Ｂが退出したため、テレビ会議参加者は内線端末５０−Ｃのみとなる。他に会議参加者がいないため、表示する合成画像データは、内線端末５０−Ｃの端末カメラの映像のみとなる。
【００８７】
また聴取する合成音声データは、無音となる。  拠点３の内線端末５０−Ｃは、内線端末５０−Ａと同様の手順により、（Ｓ６１１〜Ｓ６１６）拠点Ｂのテレビ会議から退出、画像データと音声データの取得を中止する。
【００８８】
音声合成部３―Ｂと画像合成部４−Ｂに指示し、各合成処理は終了する。内線端末５０−Ｃのテレビ会議からの退出により、仮想会議室機能部５−Ｂで実施されていたテレビ会議は終了する（時点（６））。以上の処理により、拠点間でのテレビ会議退出を可能とする。
【００８９】
呼制御部が内線端末から発信要求を受信し、発信先指定番号を解析した際に、発信先内線番号が、テレビ会議参加を示す内線番号ではなかった場合は、仮想会議機能部を使用した内線端末同士のテレビ電話を行う。
【００９０】
この際の処理を図７−１〜２を併用して説明する。図７−１は拠点間テレビ電話の実施に係る、電話制御装置１−Ａ〜Ｂ内の呼制御部７−Ａ〜Ｂと、各カメラ付き内線端末５０−Ａ〜Ｂとの間のシーケンス例である。図７−２には、前述した装置間での通知及び、装置間の通信に使用するＩＰアドレスと、テレビ会議に使用する画像ポート番号及び音声ポート番号を（キ）〜（コ）に示す。
【００９１】
内線端末５０−Ａは、拠点Ｂの内線端末５０−Ｂを指定する発信先指定番号（電話制御装置１Ｂの内線端末Ｂを指定するため、図２、列２０１拠点番号列の列２０１に示す７２と、内線端末Ｂの内線番号２１を合わせた内線番号である７２２１）の発信要求を呼制御部７−Ａに送信する（Ｓ７０１）。
【００９２】
発信要求を受信した呼制御部７−Ａは、発信要求に含まれる発信先指定番号を解析、電話制御装置情報記憶部８−Ａ（図２、行２０２列２０１に対応する７２と列２０３に対応する８０２）を参照するが、当該発信要求が、拠点Ｂの内線端末５０−Ｂとの内線番号を指定したテレビ電話開始の要求であると判断し、電話制御装置情報記憶部８−Ａから参照した拠点Ｂの呼制御装置７−ＢのＩＰアドレス（図２、行２０２列２０２に対応するＩＰアドレス１９２．１６８．２．１００）に対し、接続要求を行う。
【００９３】
この際同時に、内線情報記憶部９−Ａを参照し、行３１１Ａに示す、発信要求を行った内線端末５０−Ａの拠点番号、内線番号と、図７−２に示す情報（キ）すなわち内線端末のＩＰアドレスと、テレビ会議に使用する画像ポート番号及び映像ポート番号を送信する（Ｓ７０２）。
【００９４】
接続要求を受信した呼制御部７−Ｂは、電話制御装置情報記憶部８−Ｂを参照し、発信先内線番号２１が会議番号８０２でないことを判断し、内線情報記憶部９−Ｂを参照、発信先指定番号に示された内線番号が内線端末５０−Ｂを示していることを判別する、仮想会議室機能部５−ＢへＳ７０２で通知された内線端末５０−Ａの拠点番号、内線番号と、ＩＰアドレスと、テレビ会議に使用する画像ポート番号及び音声ポート番号（キ）と共に、仮想会議室機能部５−Ｂへテレビ電話使用要求を送信する（Ｓ７０３）。
【００９５】
テレビ電話使用要求を受信した仮想会議室機能部５−Ｂは、通知された拠点番号、内線番号、ＩＰアドレス・ポート情報（キ）をテレビ電話使用者の情報として保存し、テレビ電話受付を呼制御部７−Ｂに対して送信する（Ｓ７０４）。
【００９６】
仮想会議室機能部５−Ｂからテレビ電話受付を受信した呼制御部７−Ｂは、発信先の指定内線端末である内線端末５０−Ｂに対して、テレビ会議着信を送信する（Ｓ７０５）。
【００９７】
テレビ会議着信を受信した内線端末５０−Ｂは、着信中となる。受話操作を行うと、呼制御部７−Ｂへテレビ電話着信応答を送信する（Ｓ７０６）。
【００９８】
テレビ電話着信応答を受信した呼制御部７−Ｂは、内線情報記憶部９−Ｂを参照し、テレビ電話着信応答を送信した内線端末５０−Ｂの拠点番号、内線番号と、ＩＰアドレスと、テレビ会議に使用する画像ポート番号及び音声ポート番号（ケ）と共に、仮想会議室機能部５−Ｂへテレビ電話使用要求を送信する（Ｓ７０７）。
【００９９】
テレビ電話使用要求を受信した仮想会議室機能部５−Ｂは、通知された内線番号、ＩＰアドレス・ポート情報（ケ）をテレビ電話使用者の情報として保存し、テレビ電話受付を呼制御部７−Ｂに対して送信する（Ｓ７０８）。
【０１００】
仮想会議室情報記憶部６−Ｂからテレビ会議受付を受信した呼制御部７―Ｂは、仮想会議室情報記憶部６−Ｂを参照し、仮想会議室情報記憶部６−ＢのＩＰアドレスと、テレビ会議に使用する画像ポート番号及び音声ポート番号を送信する（コ）（Ｓ７０９）。
【０１０１】
同様に、呼制御部７−Ａの接続要求に対する応答として、仮想会議室情報記憶部６−ＢのＩＰアドレスと、テレビ会議に使用する画像ポート番号及び音声ポート番号をと共に、接続完了通知を送信する（ク）（Ｓ７１０）。
【０１０２】
接続完了通知を受信した呼制御部７−Ａは、発信要求を行った内線端末５０−Ａに対して、受信した仮想会議室情報記憶部６−ＢのＩＰアドレスと、テレビ会議に使用する画像ポート番号及び音声ポート番号を送信する（ク）（Ｓ７１１）。
【０１０３】
仮想会議機能部５−Ｂは保存している、内線端末５０Ａ、ＢのＩＰアドレスと、画像ポート番号と音声ポート番号（キ）（ケ）を使用し、内線端末５０Ａ、Ｂから画像データと音声データを取得する。この際、テレビ電話の使用であるため、画像の合成処理と、音声の合成処理は行わず、互いの画像データと音声データの中継する処理を行う。
【０１０４】
内線端末５０Ａ，Ｂは、受信した仮想会議室情報記憶部６−ＢのＩＰアドレスと、テレビ会議に使用する画像ポート番号及び映像ポート番号（ク）（コ）から、仮想会議室機能部５−Ｂから互いの通話相手の音声データと画像データ取得、それぞれの映像表示器に画像データを表示、音声データの聴取を行う。以上の処理により、拠点間での２者間ビデオ通話を可能とする。
【０１０５】
図８−１〜２は電話制御装置１の呼制御部７の動作フローチャートである。本フローチャートは、電源が投入された待機状態からスタートする（Ｓ８００）。待機状態において、呼制御部７は、収容下の内線端末からの発信要求検知の有無（Ｓ８０１）、他拠点からの接続要求受信の有無（Ｓ８０７）、他拠点からの接続完了受信の有無（Ｓ８１２）、他拠点からの開放要求の有無（Ｓ８１４）、他拠点からの解放完了の受信の有無（Ｓ８１８）、通話中の内線端末からの通信切断検知の有無（Ｓ８２０）を巡回して監視している。
【０１０６】
Ｓ８０１において、収容下の内線端末から、発信要求を検知すると（Ｓ８０１、ＹＥＳ）、発信要求に含まれる発信先指定番号を解析し、電話制御装置情報記憶部８を参照し、発信先内線番号が会議番号かを判別する。
【０１０７】
発信先内線番号が会議番号であった場合は（Ｓ８０２、ＹＥＳ）、発信先が、他拠点の仮想会議室を示すものかを判別する。他拠点の仮想会議室であった場合は（Ｓ８０３、ＹＥＳ）、内線情報記憶部９を参照して、発信要求を行った内線端末の情報と共に、対象とする拠点の呼制御部７のＩＰアドレスに対して接続要求を送信する（Ｓ８０４）。
【０１０８】
発信先が、自拠点の仮想会議室であった場合は（Ｓ８０３、ＮＯ）、自拠点の仮想会議室機能部５に対して、発信要求を行った内線端末の情報と共に会議参加要求を送信する（Ｓ８０５）。
【０１０９】
Ｓ８０７において、他拠点の呼制御部７から接続要求を受信した場合（８０７、ＹＥＳ）、自拠点の仮想会議室機能部５に対して、同時に受信した内線端末の情報と共に、会議参加要求を送信する（Ｓ８０８）。
【０１１０】
そして、仮想会議室機能部５から参加受付を受信した場合（Ｓ８０９、ＹＥＳ）、接続要求を送信してきた他拠点の呼制御部７に対して接続完了を送信する（Ｓ８１０）。
【０１１１】
仮想会議室機能部５から参加受付を受信できなかった場合（Ｓ８０９、ＮＯ）、接続を要求してきた他拠点の呼制御部７に対して解放完了を送信する（Ｓ８１１）。なお、参加受付を受信できなかった場合には、接続のタイムアウトや、拒否レスポンスメッセージの受信等を含む。
【０１１２】
Ｓ８１２において、他拠点の呼制御部７から、接続完了を受信した場合（Ｓ８１２、ＹＥＳ）、発信要求を行った、自内線端末へ、対象とする拠点の仮想会議室機能部５の情報と共に応答を送信する（Ｓ８１３）。これにより内線端末は、仮想会議室のＩＰアドレスとポート情報を取得し、合成画像データと、合成音声データの取得が可能となる。
【０１１３】
Ｓ８１４において、他拠点の呼制御部７から解放要求を受信した場合（Ｓ８１４、ＹＥＳ）、自拠点の仮想会議室機能５に対して、同時に受信した、拠点番号、内線番号と、会議退出要求を送信する（Ｓ８１５）。
【０１１４】
呼制御部７は仮想会議室機能５からの会議退出受付の受信を待つ状態となる（Ｓ８１６）。仮想会議室機能５から会議退出受付を受信した場合（Ｓ８１６）、解放要求を送信してきた他拠点の呼制御部７に対して、解放完了を送信する（Ｓ８１７）。
Ｓ８１８において他拠点の呼制御部７からから解放完了を受信した場合（Ｓ８１８、ＹＥＳ）、通話を切断した収容下の内線端末に対して終了通知を送信する（Ｓ８１９）。これにより内線端末の通話は終了する。
【０１１５】
Ｓ８２０において、通話中の収容下の内線端末から通話切断を検知した場合（Ｓ８２０，ＹＥＳ）、当該内線端末の通話先が仮想会議室であった場合は（Ｓ８２１、ＹＥＳ）、通話先仮想会議室の拠点を判断する。通話先が他拠点であった場合は（Ｓ８２２，ＹＥＳ）、対象拠点の呼制御部７に対して、通話を切断した内線端末の拠点番号と内線番号を付与した解放要求を送信する（Ｓ８２３）。
【０１１６】
通話先仮想会議室が自拠点であった場合は（Ｓ８２２、ＮＯ）、自拠点の仮想会議室機能５に対し、通話を切断した内線端末の内線番号を付与した会議退出要求を送信する（Ｓ８２５）。Ｓ８２１において、当該内線端末の通話先が仮想会議室では無かった場合（Ｓ８２１、ＮＯ）、通話相手との通話呼を切断し、通話を終了する（Ｓ８２４）。
【０１１７】
図９は電話制御装置１仮想会議室機能５の動作フローチャートである。本フローチャートは電源が投入された待機状態からスタートする（Ｓ９００）。待機状態において、仮想会議室機能５は、会議参加要求検知の有無（Ｓ９０１）、会議退出要求検知の有無（Ｓ９０６）を巡回して監視している。
【０１１８】
Ｓ９０１において、呼制御部７から会議参加要求を受信した場合（Ｓ９０１、ＹＥＳ）、会議参加を許可するかの判断を行う（Ｓ９０２）。許可判断基準は、例えば会議参加者の上限、参加権限の有無など、電話システムの運用に応じて任意に設定して良い。
【０１１９】
会議参加要求を許可した場合（Ｓ９０２，ＹＥＳ）、呼制御部７に参加受付を送信する（Ｓ９０３）。続けて、会議参加要求に付与された、会議参加者である内線端末の拠点番号、内線番号、ＩＰアドレス、使用するポート番号を、会議参加者の情報として保存し、対象の画像データと音声データの取得を開始する。
【０１２０】
取得した画像データと音声データを、音声合成部３と、画像合成部４に指示して、合成音声データと合成画像データを作成し、配信を開始する（Ｓ９０４）。会議参加要求を拒否した場合は（Ｓ９０２、ＮＯ）、呼制御部７に対して、参加拒否を送信する（Ｓ９０５）。
【０１２１】
Ｓ９０６において、会議退出要求を呼制御部７から受信した場合（Ｓ９０６、ＹＥＳ）、呼制御部７に会議退出受付を送信する（Ｓ９０７）。続けて、会議退出要求に付与された、会議退出者である内線端末の拠点番号、内線番号を、会議参加者の情報と照会し、該当する会議参加者の情報を削除し、画像データと音声データの取得と配信を終了する（Ｓ９０８）。
【０１２２】
以上説明した通り、本発明によれば、電話制御装置同士で、使用する仮想会議室の構成情報と、仮想会議室に参加する内線端末の構成情報を中継することが可能となり、他電話制御装置内の仮想会議室を利用した拠点間テレビ会議を可能とする電話システムを提供することが可能となる。
【符号の説明】
【０１２３】
１・・・電話制御装置
２・・・他拠点対応部
３・・・音声合成部
４・・・画像合成部
５・・・仮想会議室機能部
６・・・仮想会議室情報記憶部
７・・・呼制御部
８・・・電話制御装置情報記憶部
９・・・内線情報記憶部
１０・・・通話路スイッチ
１１・・・内線対応部
５０・・・カメラ付き内線端末
１００・・・ネットワーク
【図１−１】
0006575762.tif 000002
【図１−２】
0006575762.tif 000003
【図２】
0006575762.tif 000004
【図３Ａ】
0006575762.tif 000005
【図３Ｂ】
0006575762.tif 000006
【図３Ｃ】
0006575762.tif 000007
【図４Ａ】
0006575762.tif 000008
【図４Ｂ】
0006575762.tif 000009
【図４Ｃ】
0006575762.tif 000010
【図５−１】
0006575762.tif 000011
【図５−２】
0006575762.tif 000012
【図５−３】
0006575762.tif 000013
【図５−４】
0006575762.tif 000014
【図６−１】
0006575762.tif 000015
【図６−２】
0006575762.tif 000016
【図６−３】
0006575762.tif 000017
【図７−１】
0006575762.tif 000018
【図７−２】
0006575762.tif 000019
【図８−１】
0006575762.tif 000020
【図８−２】
0006575762.tif 000021
【図９】
0006575762.tif 000022